(57)【要約】【課題】車両前突時にインバータ筐体とジャンクションボックス筐体とが分離して、高電圧のバスバーが露出するのを防止することができる電気駆動車両構造の提供を目的とする。【解決手段】  インバータ筐体３１と、ジャンクションボックス筐体４１とは、外周壁部３１Ｗ，４２Ｗと、上面部３１ａ，４２ａ、下面部３１ｂ，４３ｃとを有し、インバータ３０とジャンクションボックス４０の電気分配回路とを接続するバスバー３６が、外周壁部３１Ｗ，４２Ｗの内側であって上面部３１ａと下面部４３ｃとを貫通して配置され、インバータ筐体３１の外周壁部３１Ｗの下部が、その周囲の複数箇所においてクロスメンバ８上部に第１ボルト２５で上下方向に締結され、インバータ筐体３１とジャンクションボックス筐体４１とが、外周壁部３１Ｗ，４２Ｗが合致する複数箇所において第２ボルト３５で上下方向に締結され、第２ボルト３５は第１ボルト２５より太いことを特徴とする。【選択図】図５
2019051887.tif 000002
【特許請求の範囲】
【請求項１】
車両前部に配置されたモータルーム内の左右両サイドを車両前後方向に延びる左右のフロントサイドフレームを設け、
当該左右のフロントサイドフレーム間に車幅方向に延びるクロスメンバが架け渡され、
当該クロスメンバの上部に、入力された電気を昇圧して出力するインバータと、リレーを含む電気分配回路を収容するジャンクションボックスとが上下に積重なって載置され、
上記クロスメンバの下部に、上記ジャンクションボックスからハーネスで給電される車両駆動用モータが懸下された電気駆動車両構造であって、
上記インバータの筐体と、上記ジャンクションボックスの筐体とは、それぞれ外周壁部と、上面部および下面部とを有しており、
上記インバータと上記ジャンクションボックスの電気分配回路とを接続するバスバーが、上記外周壁部の内側であって上記上面部と下面部とを貫通して配置され、
上記インバータ筐体またはジャンクションボックス筐体の一方の外周壁部の下部が、その周囲の複数箇所において上記クロスメンバ上部に第１ボルトで上下方向に締結され、
上記インバータ筐体とジャンクションボックス筐体とが、それぞれ外周壁部が合致する複数箇所において第２ボルトで上下方向に締結され、
上記第２ボルトは上記第１ボルトよりも太いことを特徴とする
電気駆動車両構造。
【請求項２】
上記ジャンクボックス筐体はその下面部が、上記インバータ筐体の上面部に合致するよう設置され、
上記ジャンクションボックス筐体の下面部には、上記バスバーを挿通する貫通孔が設けられ、
当該貫通孔の外周であって上記ジャンクションボックス筐体の下面部と上記インバータ筐体の上面部との間にシール部材が設けられたことを特徴とする
請求項１に記載の電気駆動車両構造。
【発明の詳細な説明】
【技術分野】
【０００１】
この発明は、電気駆動車両構造に関し、詳しくは、車両前部に配置されたモータルーム内の左右両サイドを車両前後方向に延びる左右のフロントサイドフレームを設け、当該左右のフロントサイドフレーム間に車幅方向に延びるクロスメンバが架け渡され、当該クロスメンバの上部に、入力された電気を昇圧して出力するインバータと、リレーを含む電気分配回路を収容するジャンクションボックスとが上下に積重なって載置され、上記クロスメンバの下部に、上記ジャンクションボックスからハーネスで給電される車両駆動用モータが懸下された電気駆動車両構造に関する。
【背景技術】
【０００２】
従来、車両前部にモータルームを形成し、当該モータルームの左右両サイドを車両前後方向に延びる左右のフロントサイドフレームが設けられ、これら左右一対のフロントサイドフレーム間に電動モータを配置し、該電動モータを動力源として左右の車輪を駆動するように構成した電気駆動車両が知られている。
【０００３】
このような電気駆動車両としては特許文献１，２，３に開示されたものがある。  
特許文献１に開示されたものは、モータルーム内の左右両サイドを車両前後方向に延びる左右のフロントサイドフレームが設けられ、上記左右のフロントサイドフレームには、車幅方向に延びるクロスメンバが架け渡され、該クロスメンバの下部に車両駆動用モータが懸下されたものである。
【０００４】
特許文献２に開示されたものは、モータルーム内において、左右のフロントサイドフレーム間にマウント部材を介してクロスメンバが車幅方向に架け渡されており、上記クロスメンバの下部に車両駆動用モータを懸下する一方、上記クロスメンバを上方が開放された有底角筒形状の容器状と成して、その内部に入力された電気を昇圧して出力するインバータが収容されたものである。  
しかしながら、該特許文献２の構成では、上記クロスメンバが容器状に形成されているので、質量が過大となり、改善の余地があった。
【０００５】
特許文献３に開示されたものは、モータルーム内の左右両サイドを車両前後方向に延びる左右のフロントサイドフレームが設けられると共に、モータとトランスアクスルとを一体化したパワーユニットを設け、該パワーユニットにおけるモータハウジングの上部にインバータ筐体を取付け、当該インバータ筐体の上部にジャンクションボックスを積載し、クロスメンバを用いることなく、これら各要素（パワーユニット、インバータ筐体、ジャンクションボックス）を、左右のマウント装置を介して上記左右のフロントサイドフレームに支持させたものである。
【０００６】
この特許文献３において、インバータと上記ジャンクションボックスの電気分配回路とをバスバー（ｂｕｓ‐ｂａｒ）で接続し、高電圧ハーネスを省略することも考えられるが、この場合、車両衝突時に、上述のジャンクションボックスをインバータ筐体とが分離すると、高電圧のバスバーが露出するので、これを防止するために改善の余地があった。
【先行技術文献】
【特許文献】
【０００７】
【特許文献１】独国特許出願公開第１０２００９０４０８９６号明細書
【特許文献２】独国特許出願公開第１０２０１１１１３１９８号明細書
【特許文献３】特開２０１６−２２７９９号公報
【発明の概要】
【発明が解決しようとする課題】
【０００８】
そこで、この発明は、車両衝突時にインバータ筐体とジャンクションボックス筐体とが分離して、高電圧のバスバーが露出するのを防止することができる電気駆動車両構造の提供を目的とする。
【課題を解決するための手段】
【０００９】
この発明による電気駆動車両構造は、車両前部に配置されたモータルーム内の左右両サイドを車両前後方向に延びる左右のフロントサイドフレームを設け、当該左右のフロントサイドフレーム間に車幅方向に延びるクロスメンバが架け渡され、当該クロスメンバの上部に、入力された電気を昇圧して出力するインバータと、リレーを含む電気分配回路を収容するジャンクションボックスとが上下に積重なって載置され、上記クロスメンバの下部に、上記ジャンクションボックスからハーネスで給電される車両駆動用モータが懸下された電気駆動車両構造であって、上記インバータの筐体と、上記ジャンクションボックスの筐体とは、それぞれ外周壁部と、上面部および下面部とを有しており、上記インバータと上記ジャンクションボックスの電気分配回路とを接続するバスバーが、上記外周壁部の内側であって上記上面部と下面部とを貫通して配置され、上記インバータ筐体またはジャンクションボックス筐体の一方の外周壁部の下部が、その周囲の複数箇所において上記クロスメンバ上部に第１ボルトで上下方向に締結され、上記インバータ筐体とジャンクションボックス筐体とが、それぞれ外周壁部が合致する複数箇所において第２ボルトで上下方向に締結され、上記第２ボルトは上記第１ボルトよりも太いことを特徴とする。
【００１０】
上記構成によれば、車両前突時にインバータ筐体またはジャンクションボックス筐体に衝撃が加わって、両筐体を上下方向に締結している第２ボルトが破断して、インバータ筐体とジャンクションボックス筐体とが分離してしまう以前に、一方の筐体をクロスメンバ上部に締結している第１ボルトが先に破断するので、インバータ筐体とジャンクションボックス筐体とが一体でクロスメンバ上部から離脱して後退する。  
この結果、車両衝突時にインバータ筐体とジャンクションボックス筐体とが分離して、高電圧のバスバーが露出するのを防止することができる。
【００１１】
この発明の一実施態様においては、上記ジャンクボックス筐体はその下面部が、上記インバータ筐体の上面部に合致するよう設置され、上記ジャンクションボックス筐体の下面部には、上記バスバーを挿通する貫通孔が設けられ、当該貫通孔の外周であって上記ジャンクションボックス筐体の下面部と上記インバータ筐体の上面部との間にシール部材が設けられたものである。
【００１２】
上記構成によれば、貫通孔外周におけるジャンクションボックス筐体下面部とインバータ筐体上面部との間にシール部材を設けたので、インバータ筐体外周縁とジャンクションボックス筐体外周縁との全てを密閉して、バスバーへの浸水を防止する構造が不要となり、斯る浸水防止構造の簡略化を図ることができる。
【発明の効果】
【００１３】
この発明によれば、車両前突時にインバータ筐体とジャンクションボックス筐体とが分離して、高電圧のバスバーが露出するのを防止することができる。
【図面の簡単な説明】
【００１４】
【図１】本発明の電気駆動車両構造を示す斜視図
【図２】電気駆動車両構造の正面図
【図３】電気駆動車両構造の平面図
【図４】電気駆動車両構造の背面図
【図５】バスバーの連結構造を示す要部の縦断面図
【図６】トレイの斜視図
【図７】トレイに対する電気ユニットの取付け構造を示す分解平面図
【図８】トレイに電気ユニットを取付けた状態で示す平面図
【発明を実施するための形態】
【００１５】
車両前突時にインバータ筐体とジャンクションボックス筐体とが分離して、高電圧のバスバーが露出するのを防止するという目的を、車両前部に配置されたモータルーム内の左右両サイドを車両前後方向に延びる左右のフロントサイドフレームを設け、当該左右のフロントサイドフレーム間に車幅方向に延びるクロスメンバが架け渡され、当該クロスメンバの上部に、入力された電気を昇圧して出力するインバータと、リレーを含む電気分配回路を収容するジャンクションボックスとが上下に積重なって載置され、上記クロスメンバの下部に、上記ジャンクションボックスからハーネスで給電される車両駆動用モータが懸下された電気駆動車両構造であって、
上記インバータの筐体と、上記ジャンクションボックスの筐体とは、それぞれ外周壁部と、上面部および下面部とを有しており、上記インバータと上記ジャンクションボックスの電気分配回路とを接続するバスバーが、上記外周壁部の内側であって上記上面部と下面部とを貫通して配置され、上記インバータ筐体またはジャンクションボックス筐体の一方の外周壁部の下部が、その周囲の複数箇所において上記クロスメンバ上部に第１ボルトで上下方向に締結され、上記インバータ筐体とジャンクションボックス筐体とが、それぞれ外周壁部が合致する複数箇所において第２ボルトで上下方向に締結され、上記第２ボルトを上記第１ボルトよりも太く形成するという構成にて実現した。
【実施例】
【００１６】
この発明の一実施例を以下図面に基づいて詳述する。  
図面は電気駆動車両構造を示し、図１は当該電気駆動車両構造を示す斜視図、図２はその正面図、図３は図１の平面図、図４は図１の背面図である。
【００１７】
図１〜図４において、車両前部にモータルーム１を配置している。詳しくは、フロアパネルの前端から上方に立上がるダッシュロアパネルを設け、このダッシュロアパネルよりも前側をモータルーム１に設定し、ダッシュロアパネルよりも後側を車室に設定したものである。  
上述のモータルーム１内の左右両サイドを車両前後方向に延びる左右のフロントサイドフレーム２，２を設けている。
【００１８】
図３、図４に示すように、上述のフロントサイドフレーム２は、フロントサイドフレームアウタ３とフロントサイドフレームインナ４との上下の接合フランジ部を接合固定して、車両の前後方向に延びる閉断面５（図４参照）を形成した車体強度部材である。
【００１９】
図１〜図４に示すように、上述のフロントサイドフレーム２の前端部には、クラッシュカン取付け用のセットプレート６を設け、このセットプレート６には、取付けプレートを介してクラッシュカン（衝突エネルギ吸収部材）を取付けており、左右のクラッシュカンの前端部相互間には、車幅方向に延びるバンパレインフォースメントを取付けている。
【００２０】
図１、図３に示すように、フロントサイドフレーム２におけるフロントサイドフレームインナ４の上面部には、マウントブラケット７，７をボルト締結しており、これら左右のマウントブラケット７，７に車幅方向に延びるクロスメンバ８を取付けることで、左右一対のフロントサイドフレーム２，２間にクロスメンバ８を架け渡している。
【００２１】
図１、図３に示すように、車両の左側においては、上述のマウントブラケット７の直後部に、車両正面視で逆Ｌ字状のバッテリ支持アーム９を設けている。このバッテリ支持アーム９はその略鉛直部がフロントサイドフレームインナ４に取付けられたものである。  
一方、車両左側のマウントブラケット７には、上方に延びるバッテリ支持突部７ａが一体形成されており、図２、図３に示すように、該バッテリ支持突部７ａと上述のバッテリ支持アーム９との上部には、バッテリトレイ１０を介してバッテリ１１が配置されており、バッテリトレイ１０の車両前後方向中間部において、その車幅方向内外両片の上端部相互間はバッテリクランプ１２で車幅方向に連結されている。この実施例では、上述のバッテリ１１として鉛電池を使用した１２Ｖバッテリを採用しているが、これに限定されるものではない。
【００２２】
図５は電気駆動車両構造の要部の縦断面図で、同図に示すように、上述のクロスメンバ８は、鋳物により上壁８ａと、前壁８ｂと、後壁８ｃと、複数の補強リブ８ｄを有する断面略門形状に形成されると共に、前壁８ｂ、後壁８ｃの車幅方向中央下部が、図２に示すように、車幅方向両端部下側に対して円弧状に下方へ突出するように形成されている。また、クロスメンバ８の上壁８ａの上面はフラット形状に形成されている。さらに、図２に示すように、クロスメンバ８の前壁８ｂにおける車幅方向中間部左右二箇所には、下方が開放された凹部８ｅ，８ｅを形成している。
【００２３】
図２に示すように、クロスメンバ８の上記凹部８ｅ，８ｅ対応位置に設けた左右の支持装置１３，１４を用いて、クロスメンバ８の下部にモータユニット１５が懸下されている。  
同図に示すように、上述のモータユニット１５は、車両右側に位置する車両駆動用の３相交流モータ１６（以下、単にモータ１６と略記する）と、車両左側に位置して減速機を構成するギヤボックス１７と、モータハウジング１６ａの右側に設けられた開口を塞ぐための閉塞部材１８と、ギヤボックス１７のケーシング１７ａの左側に設けられた開口を塞ぐための閉塞部材１９と、を一体ユニット化したものである。
【００２４】
図２に示すように、モータハウジング１６ａの車両左側に設けられたフランジ部１６ｂと、ギヤボックス１７の車両右側に設けられたフランジ部１７ｂとは、ボルト２０により締結されている。  
ここで、車両左側においては、閉塞部材１９の上部と支持装置１３の下部とが、締結ボルトを用いて、車幅方向外側から車幅方向内側に向けてボルト止めされており、車両右側においては、閉塞部材１８の上部と支持装置１４の下部とが、締結ボルトを用いて、車両前方から車両後方に向けてボルト止めされている。これにより、クロスメンバ８の下部に上記モータ１６を含むモータユニット１５が懸下されたものである。
【００２５】
図６はトレイの斜視図、図７はトレイに対する電気ユニットの取付け構造を示す分解平面図、図８はトレイに電気ユニットを取付けた状態で示す平面図である。
【００２６】
図２に正面図で示すように、クロスメンバ８における車幅方向略中央上部には、トレイとしての左トレイ２１を取付け、この左トレイ２１にインバータ３０を載置し、該インバータ３０の上部にジャンクションボックス４０を載置して、これらインバータ３０とジャンクションボックス４０との両者で電気ユニットＥ１を構成し、上記モータ１６の略真上にジャンクションボックス４０が位置するように配置している。
【００２７】
また、同図に示すように、クロスメンバ８における上記左トレイ２１の車幅方向右側には、トレイである右トレイ２２を取付け、この右トレイ２２に充電器５０を載置し、該充電器５０の上部にＤＣ−ＤＣコンバータ６０を載置して、これら充電器５０とＤＣ−ＤＣコンバータ６０との両者で電気ユニットＥ２を構成している。
【００２８】
上述のインバータ３０は、フロアパネル下部に配設された主バッテリ（図示せず）からの入力電気を昇圧して出力するもので、直流電力を３相交流に変換するインバータ回路を有している。  
上述のジャンクションボックス４０は、電線同士を結合、分岐、中継する際に用いる端子や端末を保護するための所謂接続箱であって、リレーを含む電気分配回路を収容するものである。
【００２９】
上述の充電器５０は、外部電源から電力を入力して上記主バッテリを充電するもので、該充電器５０と主バッテリとは電力ケーブル（図示せず）によって接続されており、また、該充電器５０は充電回路を有している。  
上述のＤＣ−ＤＣコンバータ６０は高電圧を車載機器駆動用の低電圧（例えば、１２Ｖ）に変換する変換器である。
【００３０】
図３、図５に示すように、上述の各電気ユニットＥ１，Ｅ２の前後長さは、クロスメンバ８の前後長さよりも大きく、電気ユニットＥ１，Ｅ２の筐体、すなわち、インバータ筐体３１、ジャンクションボックス筐体４１（図５参照）、充電器筐体５１、ＤＣ−ＤＣコンバータ６０のコンバータ筐体６１（図２参照）の前縁部は、その載置位置において、図３、図５に示すように、クロスメンバ８の前縁部としての前壁８ｂよりも車両前方に位置している。
【００３１】
図６、図７に示すように、左トレイ２１はクロスメンバ８上部に接してこれに固定される第１底部２１ａと、この第１底部２１ａの前部に連続して形成され当該第１底部２１ａより高い位置にある第２底部２１ｂと、第１底部２１ａの後部左右に連続して形成され上記第２底部２１ｂと同一高さ位置にある左右の第３底部２１ｃ、２１ｃと、を有しており、上述の第１底部２１ａは複数のボルト２３を用いて、クロスメンバ８上部に固定されており、第２底部２１ｂおよび第３底部２１ｃ、２１ｃの取付け部２４には、電気ユニットＥ１下部のインバータ３０が、ボルト２５を用いて上下方向に締結される。  
すなわち、上述の第１底部２１ａ、第２底部２１ｂ、第３底部２１ｃは、電気ユニットＥ１下部のインバータ３０の固定部を提供する底面部である。
【００３２】
しかも、図５〜図８に示すように、上述の左トレイ２１は、車両平面視でインバータ筐体３１前縁部、ジャンクションボックス筐体４１前縁部よりもその車幅方向全域にわたって車両前方に位置する前縁部２１ｄを有し、該前縁部２１ｄは底面部としての第２底部２１ｂから略鉛直方向に立上がる壁状に形成されている。
【００３３】
図６〜図８に示すように、上述の左トレイ２１は、第１底部２１ａおよび第２底部２１ｂの車幅方向左右両外端から上方に立上がる左右の側壁２１ｅ、２１ｅと、左右の第３底部２１ｃ、２１ｃ間を連結して上方に立上がる後壁２１ｆと、を一体形成している。
【００３４】
また、図６に示すように、上述の左トレイ２１には、第１底部２１ａにおいて車幅方向に離間して車両前後方向に延びる上方へ凸形状のビード２１ｇが複数設けられると共に、第２底部２１ｂにおいて車幅方向に離間して車両前後方向に延びる下方へ凸形状のビード２１ｈが複数設けられており、第１底部２１ａと第２底部２１ｂとによる段差構造、並びに、車両前後方向に延びるビード２１ｇ、２１ｈ構造により左トレイ２１底面部の剛性向上を図るように構成している。
【００３５】
図６、図７に示すように、右トレイ２２はクロスメンバ８上部に接してこれに固定される第１底部２２ａと、この第１底部２２ａの前部に連続して形成され当該第１底部２２ａより高い位置にある第２底部２２ｂと、を有している。
【００３６】
上述の第１底部２２ａおよび第２底部２２ｂの左右両端部から上方に立上がる左右の側壁２２ｃ、２２ｃを一体形成し、車幅方向右側の側壁２２ｃ上端から車幅方向外方に水平に延びる取付け片２２ｄ、２２ｅを一体形成し、また、上述の第１底部２２ａの後部かつ車幅方向左側のコーナ部には立壁２２ｆを上方に向けて立設し、この立壁２２ｆの上端から斜め後方に水平に延びる取付け片２２ｇを一体形成すると共に、第１底部２２ａの後端から下方に向けて一体に折曲げ形成された後壁２２ｈを設けている。
【００３７】
さらに、上述の右トレイ２２には、第２底部２２ｂの前端から上方に延びる縦壁２２ｉと、この縦壁２２ｉの上端から前方に向けて水平に延びる取付け片２２ｊと、該取付け片２２ｊの前端から上方に延びる前壁２２ｋ、２２ｋと、を一体形成している。
【００３８】
上述の第１底部２２ａは複数のボルト２６を用いて、クロスメンバ８上部に固定されており、上述の各取付け片２２ｄ、２２ｅ、２２ｇ、２２ｊはそれぞれ同一高さに設定されており、これらの各取付け片２２ｄ、２２ｅ、２２ｇ、２２ｊに形成された取付け部２７には、電気ユニットＥ２下部の充電器５０が、ボルト２８を用いて上下方向に締結される。
【００３９】
右トレイ２２の前壁２２ｋは、車両平面視で充電器筐体５１前縁部、コンバータ筐体６１前縁部よりも車両前方に位置する壁状のものである。  
この実施例では、左トレイ２１および右トレイ２２は、剛性部材、例えば、板厚が２．５ｍｍの鉄板を用いて構成されているが、これに限定されるものではない。
【００４０】
図５に示すように、電気ユニットＥ１，Ｅ２のうちの一方の電気ユニットＥ１を構成するインバータ３０の筐体３１と、ジャンクションボックス４０の筐体４１とは、インバータ筐体３１が下側に位置し、ジャンクションボックス筐体４１が上側に位置するよう上下方向に積重なって載置されている。
【００４１】
また、図２に示すように、他方の電気ユニットＥ２を構成する充電器５０の筐体５１と、ＤＣ−ＤＣコンバータ６０の筐体６１とは、充電器筐体５１が下側に位置し、コンバータ筐体６１が上側に位置するよう上下方向に積重なって載置されている。
【００４２】
図５、図８に示すように、インバータ筐体３１は上面部３１ａ、下面部３１ｂと、前壁３１ｃ、後壁３１ｄおよび左右の側壁３１ｅ、３１ｅから成る外周壁部３１Ｗとを有するボックス形状に形成されると共に、後部開口３２と連通する空間部３３を形成するための隔壁３１ｆが一体形成されている。
【００４３】
また、同図に示すように、インバータ筐体３１は、前壁３１ｃ下部から前方に延びる複数の取付け座３１ｇと、後壁３１ｄ下部から後方に延びる複数の取付け座３１ｈとを備えており、図５に示すように、これらの各取付け座３１ｇ、３１ｈがボルト２５を用いて左トレイ２１の第２底部２１ｂ、第３底部２１ｃに締結固定されている。  
【００４４】
つまり、インバータ筐体３１またはジャンクションボックス筐体４１のうちの一方であるインバータ筐体３１の外周壁部３１Ｗの下部が、その周囲の複数箇所においてクロスメンバ８上部の左トレイ２１にボルト２５（第１ボルト）で上下方向に締結されたものである。
【００４５】
さらに、図５に示すように、インバータ筐体３１の上面部３１ａには、バスバー挿通用の貫通孔３１ｉがその下方の空間部３３と連通するように形成されると共に、図５、図８に示すように、上述の後部開口３２はボルト３４を用いて蓋部材２９で着脱可能に覆われている。
【００４６】
さらにまた、図１に示すように、インバータ筐体３１には当該インバータ筐体３１の上部から外方へ突出する複数の取付け座３１ｊが一体形成されている。  
なお、上述のインバータ筐体３１はアルミダイカストにより形成されている。
【００４７】
図５に示すように、上述のジャンクションボックス筐体４１は、アルミダイカストにて形成されており、当該ジャンクションボックス筐体４１は、上側に位置するボックス本体４２と、下側に位置する底板部４３とを複数のボルト４４で締結一体化したものである。
【００４８】
同図に示すように、ボックス本体４２は、上面部４２ａと、前壁４２ｂ、後壁４２ｃおよび左右の側壁４２ｄから成る外周壁部４２Ｗとを有すると共に、上部開口４５、下部開口４６、後部開口４７を備えている。  
上述の上部開口４５は、ボルト４８を用いて蓋部材４９で着脱可能に覆われる一方、底板部４３は下面部４３ｃを有しており、該下面部４３ｃにはインバータ筐体３１側の貫通孔３１ｉと一致するバスバー挿通用の貫通孔４３ａが形成されている。
【００４９】
図１、図５に示すように、上述の底板部４３には、インバータ筐体３１側の取付け座３１ｊと対応すべく、外方へ突出する複数の取付け座４３ｂが一体形成されており、インバータ筐体３１側の取付け座３１ｊに対してジャンクションボックス筐体４１側の取付け座４３ｂを載置して、これら両者３１ｊ、４３ｂを複数のボルト３５で上下方向に締結している。  
すなわち、下側に位置するインバータ筐体３１と上側に位置するジャンクションボックス筐体４１とが、それぞれ外周壁部３１Ｗ、４２Ｗが合致する複数箇所においてボルト３５（第２ボルト）で上下方向に締結されたものである。
【００５０】
図５に示すように、インバータ筐体３１を左トレイ２１に締結するボルト２５に対して、インバータ筐体３１とジャンクションボックス筐体４１とを締結するボルト３５は、太く、かつ、せん断力が大となるように設定されている。この実施例では、ボルト３５としてＭ１０のものを用い、ボルト２５としてＭ８のものを用いているが、これに限定されるものではない。
【００５１】
図５に示すように、ジャンクションボックス４０内の電気分配回路とインバータ筐体３１内のインバータ回路とは、銅インゴット製のバスバー３６（ｂｕｓ−ｂａｒ）で連結されるが、該バスバー３６は底板部４３と空間部３３との間において上下の各バスバー挿通用の貫通孔４３ａ、３１ｉを介して配索され、当該配索部の外周には絶縁部材３７が被覆されている。
【００５２】
すなわち、インバータ３０とジャンクションボックスの電気分配回路とを接続するバスバー３６が、上述の各外周壁部３１Ｗ、４２Ｗの内側であって上記上面部３１ａと下面部４３ｃとを貫通して配置されたものである。
【００５３】
図５に示すように、この実施例では、上述のジャンクションボックス筐体４１はその下面部４３ｃが、上述のインバータ筐体３１の上面部３１ａに合致するよう配置されており、上述のジャンクションボックス筐体４１の下面部４３ｃには、バスバー３６を挿通する上記貫通孔４３ａが設けられており、この貫通孔４３ａの外周であって上記ジャンクションボックス筐体４１の下面部４３ｃ、詳しくは貫通孔４３ａの外周に対応して取付け座４３ｂ底面と面一状になるように下方へ突出形成された突出部４３ｄの下面部と、上記インバータ筐体３１の上面部３１ａとの間には、Ｏリング等のシール部材３９が設けられている。
【００５４】
これにより、インバータ筐体３１の外周縁とジャンクションボックス筐体４１の外周縁との全てを密閉して、バスバー３６への浸水を防止する構造が不要となり、斯る浸水防止構造の簡略化を図るよう構成したものである。
【００５５】
ところで、図７、図８に示すように、充電器５０の筐体５１は、上壁、下壁５１ｂ、前壁５１ｃ、後壁５１ｄおよび左右の側壁５１ｅ、５１ｅを有するボックス形状に形成されており、該充電器筐体５１の下部から外方に向けて突出する複数の取付け座５１ｆを一体形成し、これらの各取付け座５１ｆを、ボルト２８を用いて、右トレイ２２の各取付け片２２ｄ、２２ｅ、２２ｇ、２２ｊに締結固定している。
【００５６】
図１、図２、図４に示すように、充電器筐体５１の上部から外方に向けて突出する複数の取付け座５１ｇを一体形成し、これらの各取付け座５１ｇには、ボルト５２を用いて、プレート５３を取付けている。
【００５７】
当該プレート５３は複数の下部取付け片５３ａと、複数の上部取付け片５３ｂとを有しており、下部取付け片５３ａが充電器筐体５１の取付け座５１ｇに固定されており、上部取付け片５３ｂには、ボルト５４を用いて、ＤＣ−ＤＣコンバータ６０のコンバータ筐体６１から外方に向けて突出する複数の取付け座６１ａが締結固定されている。
【００５８】
図４に背面図で示すように、充電器５０の筐体５１における背面部と、右トレイ２２の後壁２２ｈ背面部との間は、連結部材５５で互いに連結されている。  
電気ユニットＥ１，Ｅ２を構成するインバータ３０、ジャンクションボックス４０、充電器５０、ＤＣ−ＤＣコンバータ６０のうちのインバータ３０とＤＣ−ＤＣコンバータ６０とは、冷却水による冷却が必要な電気部品である。
【００５９】
そこで、図１〜図３に示すように、上述のインバータ筐体３１における車幅方向外側の側壁３１ｅにおいて車両前後方向の可及的前寄りの部位には、インバータ筐体３１内部のウオータジャケット（図示せず）に対して、冷却水の供給、排出を行なう一対の出入り口３８を設けている。  
また、上述のＤＣ−ＤＣコンバータ６０のコンバータ筐体６１における上壁前部側には、コンバータ筐体６１内部のウオータジャケット（図示せず）に対して、冷却水の供給、排出を行なう一対の出入り口６２，６３を設けている。
【００６０】
図３、図４に示すように、ジャンクションボックス４０におけるジャンクションボックス筐体４１の車両後面側かつ車幅方向左側には、図示しない主バッテリからの電力供給用の電力ケーブル７１，７２の連結部７０が設けられている。
【００６１】
図３、図４に示すように、ジャンクションボックス４０におけるジャンクションボックス筐体４１の車両後面側かつ車幅方向右側には、インバータ３０で３相交流に変換された３相交流電力を、クロスメンバ８下部のモータ１６に供給する３相ケーブル７３，７４，７５の連結部７６が設けられている。  
該モータ１６はジャンクションボックス４０からハーネスとしての３相ケーブル７３，７４，７５で給電されるものである。
【００６２】
図５に示すように、３相ケーブル７３の上端部は連結部７６と直交しており、シール部材７７を介してジャンクションボックス筐体４１内に導入されたケーブル本体の先端には接続端子７８が設けられており、この接続端子７８はボルト７９を用いて、バスバー３６の上端水平部に結合されている。
【００６３】
図４、図５に示すように、３相ケーブル７３，７４，７５はその上端側から下端側にかけて滑らかに湾曲して下方に延びており、当該３相ケーブル７３，７４，７５の下端はモータハウジング１６ａ車両後面側の連結部８０と直交して、該連結部８０に保持されている。  
この連結部８０と、ジャンクションボックス筐体４１背面側の連結部７６と、は略上下方向の対応位置に設けられている。
【００６４】
図５では３本１組の３相ケーブル７３，７４，７５のうちの１本のみを図示したが、残りの２本についても各要素７８，７９，３６，３７，４３ａ，３１ｉの構造については図５と同様に形成されており、また、２本１組の電力ケーブル７１，７２の上端側の各要素７８，７９，３６，３７，４３ａ，３１ｉに関する構造については図５と同様に形成されている。  
なお、図１〜図４において、９０はドライブシャフト、図３において、９１はモータユニット１５の下部マウントブラケットである。また、図中、矢印Ｆは車両前方を示し、矢印Ｒは車両後方を示す。
【００６５】
このように、上記実施例の電気駆動車両構造は、車両前部に配置されたモータルーム１内の左右両サイドを車両前後方向に延びる左右のフロントサイドフレーム２，２を設け、当該左右のフロントサイドフレーム２，２間に車幅方向に延びるクロスメンバ８が架け渡され、当該クロスメンバ８の上部に、入力された電気を昇圧して出力するインバータ３０と、リレーを含む電気分配回路を収容するジャンクションボックス４０とが上下に積重なって載置され、上記クロスメンバ８の下部に、上記ジャンクションボックス４０からハーネス（３相ケーブル７３，７４，７５参照）で給電される車両駆動用モータ１６が懸下された電気駆動車両構造であって、上記インバータ３０の筐体３１と、上記ジャンクションボックス４０の筐体４１とは、それぞれ外周壁部３１Ｗ、４２Ｗと、上面部３１ａ、４２ａおよび下面部３１ｂ、４３ｃとを有しており、上記インバータ３０と上記ジャンクションボックス４０の電気分配回路とを接続するバスバー３６が、上記外周壁部３１Ｗ、４２Ｗの内側であって上記上面部３１ａと下面部４３ｃとを貫通して配置され、上記インバータ筐体３１またはジャンクションボックス筐体４１の一方（この実施例では、インバータ筐体３１）の外周壁部３１Ｗの下部が、その周囲の複数箇所において上記クロスメンバ８上部に第１ボルト（ボルト２５参照）で上下方向に締結され、上記インバータ筐体３１とジャンクションボックス筐体４１とが、それぞれ外周壁部（３１Ｗ、４２Ｗ）が合致する複数箇所において第２ボルト（ボルト３５参照）で上下方向に締結され、上記第２ボルト（ボルト３５）は上記第１ボルト（ボルト２５）よりも太いことを特徴とする（図１〜図５参照）。
【００６６】
この構成によれば、車両前突時にインバータ筐体３１またはジャンクションボックス筐体４１に衝撃が加わって、両筐体３１，４１を上下方向に締結している第２ボルト（ボルト３５）が破断して、インバータ筐体３１とジャンクションボックス筐体４１とが分離してしまう以前に、一方の筐体（インバータ筐体３１参照）をクロスメンバ８上部に締結している第１ボルト（ボルト２５）が先に破断するので、インバータ筐体３１とジャンクションボックス筐体４１とが一体でクロスメンバ８上部（この実施例では、左トレイ２１上部参照）から離脱して後退する。  
この結果、車両衝突時にインバータ筐体３１とジャンクションボックス筐体４１とが分離して、高電圧のバスバー３６が露出するのを防止することができる。
【００６７】
この発明の一実施形態においては、上記ジャンクボックス筐体４１はその下面部４３ｃが、上記インバータ筐体３１の上面部３１ａに合致するよう設置され、上記ジャンクションボックス筐体４１の下面部４３ｃには、上記バスバー３６を挿通する貫通孔４３ａが設けられ、当該貫通孔４３ａの外周であって上記ジャンクションボックス筐体４１の下面部４３ｃと上記インバータ筐体３１の上面部３１ａとの間にシール部材３９が設けられたものである（図５参照）。
【００６８】
この構成によれば、貫通孔４３ａ外周におけるジャンクションボックス筐体４１の下面部４３ｃとインバータ筐体３１の上面部３１ａとの間にシール部材３９を設けたので、インバータ筐体３１外周縁とジャンクションボックス筐体４１外周縁との全てを密閉して、バスバー３６への浸水を防止する構造が不要となり、斯る浸水防止構造の簡略化を図ることができる。
【００６９】
この発明の構成と、上述の実施例との対応において、
この発明のハーネスは、実施例の３相ケーブル７３，７４，７５に対応し、
以下同様に、
第１ボルトは、ボルト２５に対応し、
第２ボルトは、ボルト３５に対応するも、
この発明は、上述の実施例の構成のみに限定されるものではない。  
例えば、上記実施例においては、インバータ筐体３１とジャンクションボックス筐体４１の積載構造として、インバータ筐体３１を下側に、ジャンクションボックス筐体４１を上側に載置した構造を例示したが、これら両筐体３１，４１の積載構造は、インバータ筐体３１が上側で、ジャンクションボックス筐体４１が下側となる積載構造であってもよい。
【産業上の利用可能性】
【００７０】
以上説明したように、本発明は、車両前部に配置されたモータルーム内の左右両サイドを車両前後方向に延びる左右のフロントサイドフレームを設け、当該左右のフロントサイドフレーム間に車幅方向に延びるクロスメンバが架け渡され、当該クロスメンバの上部に、入力された電気を昇圧して出力するインバータと、リレーを含む電気分配回路を収容するジャンクションボックスとが上下に積重なって載置され、上記クロスメンバの下部に、上記ジャンクションボックスからハーネスで給電される車両駆動用モータが懸下された電気駆動車両構造について有用である。
【符号の説明】
【００７１】
１…モータルーム
２…フロントサイドフレーム
８…クロスメンバ
１６…モータ
２５…ボルト（第１ボルト）
３０…インバータ
３１…インバータ筐体
３１ａ，４２ａ…上面部
３１ｂ，４３ｃ…下面部
３１Ｗ，４２Ｗ…外周壁部
３５…ボルト（第２ボルト）
３９…シール部材
４０…ジャンクションボックス
４１…ジャンクションボックス筐体
３１…インバータ筐体（電気ユニットの筐体）
４３ａ…貫通孔
７３，７４，７５…３相ケーブル（ハーネス）
【図１】
2019051887.tif 000003
【図２】
2019051887.tif 000004
【図３】
2019051887.tif 000005
【図４】
2019051887.tif 000006
【図５】
2019051887.tif 000007
【図６】
2019051887.tif 000008
【図７】
2019051887.tif 000009
【図８】
2019051887.tif 000010